(57)【特許請求の範囲】
【請求項１】
凹部の玉保持部に受け入れた玉を回転作用により払い出す回転体と、回転体に玉を供給する玉供給路と、回転体より払い出された玉を移送する玉排出路と、払い出された玉を計数する玉計数装置と、回転体を回転させる駆動装置とからなる玉計数払出装置において、
回転体が設けられた玉排出路の玉入口上方に、玉保持部の玉と接触して玉に移動抵抗を与える玉排出路ガイドを設けるとともに、この玉排出路ガイドに移動中の玉に抵抗を与えるためのブレーキ機能を有する磁石を設けて、
先行玉との間隔を開けて玉を払い出すようにしたことを特徴とするパチンコ機の玉計数払出装置。
【請求項２】
回転体の凹部の横幅を玉１個分未満とし、この回転体の一側に配された側壁と回転体との間に形成された間隙に磁石を配置した請求項１に記載のパチンコ機の玉計数払出装置。
【請求項３】
凹部の玉保持部に受け入れた玉を回転作用により払い出す回転体と、回転体に玉を供給する玉供給路と、回転体より払い出された玉を移送する玉排出路と、払い出された玉を計数する玉計数装置と、回転体を回転させる駆動装置とからなる玉計数払出装置において、
回転体が設けられた玉排出路の玉入口上方に、玉保持部の玉と接触して玉に移動抵抗を与える玉排出路ガイドを設けるとともに、この玉排出路ガイドに移動中の玉に抵抗を与えるためのブレーキ機能を有するブレーキ片またはブラシを備えて、
これらのブレーキ片またはブラシを玉排出路から覗かせて玉にブレーキをかける方向に押圧して、先行玉との間隔を開けて玉を払い出すようにしたことを特徴とするパチンコ機の玉計数払出装置。
【請求項４】
回転体が挿着された主軸に、玉供給路を流下する最下段の玉を受け止めるための、中央隔壁に支持された玉受け部材を遊嵌して、玉圧が直接回転体にかかるのを防止した請求項１〜３の何れかに記載のパチンコ機の玉計数払出装置。
【請求項５】
回転体の凹部を、供給された玉を仮受けする円弧部と、この円弧部の回転方向後側に設けた段差部と、段差部に連設されて回転体の中心に向けて深くなる玉保持部とを有するものとしたうえ、この回転体を玉排出路の玉入口に、回転体の円弧部に乗った状態の玉の通過を阻止し、玉保持部に流入した玉の通過を可能とする隙間を形成して配置して、大きな衝撃が係ったときに円弧部が玉保持部にある玉の飛び出しを阻止するようにした請求項１〜４の何れかに記載のパチンコ機の玉計数払出装置。
【発明の詳細な説明】
【０００１】
【発明の属する技術分野】
本発明は、貸玉と賞玉とを払い出すためのパチンコ機の玉計数払出装置に関するものである。
【０００２】
【従来の技術】
貸玉と賞玉とを払い出すためのパチンコ機の玉計数払出装置として、駆動装置の回転作用により玉供給路より玉を受け入れ、その玉を玉排出路へ払い出す回転体を備えたものが知られている。この玉計数払出装置は１分間に１０００個という玉の払出しを可能とするため、高速で回転体より払い出された玉を高精度に計数することが必要である。しかしながら、従来の玉計数払出装置においては、玉の払出しの時間間隔にバラツキがあり玉の計数が不正確になるという欠点があった。また、回転体には玉供給路内に１列多段に重なった玉列の大きな圧力が掛かるために、駆動装置を大きな容量のものとする必要があり、コストアップを招く、或いは駆動装置の温度上昇により玉計数装置などの装置が誤作動するという問題があった。また、従来の回転体は玉保持部が単に湾曲状に凹んだものであって、遊技者がパチンコ機を叩いたりした場合に衝撃による玉の慣性で回転体が回転し玉が玉保持部より飛び出して払い出されてしまうことがあって、玉の払出しを必ずしも正確に行うことができるものではなかった。
【０００３】
【発明が解決しようとする課題】
本発明は上記した従来の問題点を解決し、小型の駆動装置でもって玉を高速で正確に払い出すことができ、且つ、払い出された玉を正確に計数することのできるパチンコ機の玉計数払出装置を提供するためになされたものである。
【０００４】
【課題を解決するための手段】
上記の課題を解決するためになされた本発明のパチンコ機の玉計数払出装置は、凹部の玉保持部に受け入れた玉を回転作用により払い出す回転体と、回転体に玉を供給する玉供給路と、回転体より払い出された玉を移送する玉排出路と、払い出された玉を計数する玉計数装置と、回転体を回転させる駆動装置とからなる玉計数払出装置において、
回転体が設けられた玉排出路の玉入口上方に、玉保持部の玉と接触して玉に移動抵抗を与える玉排出路ガイドを設けるとともに、この玉排出路ガイドに移動中の玉に抵抗を与えるためのブレーキ機能を有する磁石を設けて、先行玉との間隔を開けて玉を払い出すようにしたことを特徴とするものである。この発明において、回転体の凹部の横幅を玉１個分未満とし、この回転体の一側に配された側壁と回転体との間に形成された間隙に磁石を配置することができる。
【０００５】
また、本発明のパチンコ機の玉計数払出装置は、凹部の玉保持部に受け入れた玉を回転作用により払い出す回転体と、回転体に玉を供給する玉供給路と、回転体より払い出された玉を移送する玉排出路と、払い出された玉を計数する玉計数装置と、回転体を回転させる駆動装置とからなる玉計数払出装置において、
回転体が設けられた玉排出路の玉入口上方に、玉保持部の玉と接触して玉に移動抵抗を与える玉排出路ガイドを設けるとともに、この玉排出路ガイドに移動中の玉に抵抗を与えるためのブレーキ機能を有するブレーキ片またはブラシを備えて、
これらのブレーキ片またはブラシを玉排出路から覗かせて玉にブレーキをかける方向に押圧して、先行玉との間隔を開けて玉を払い出すようにしたことを特徴とするものである。
【０００６】
上記した発明において、回転体が挿着された主軸に、玉供給路を流下する最下段の玉を受け止めるための、中央隔壁に支持された玉受け部材を遊嵌して、玉圧が直接回転体にかかるのを防止することができる。
【０００７】
また、回転体の凹部を、供給された玉を仮受けする円弧部と、この円弧部の回転方向後側に設けた段差部と、段差部に連設されて回転体の中心に向けて深くなる玉保持部とを有するものとしたうえ、この回転体を玉排出路の玉入口に、回転体の円弧部に乗った状態の玉の通過を阻止し、玉保持部に流入した玉の通過を可能とする隙間を形成して配置して、大きな衝撃が係ったときに円弧部が玉保持部にある玉の飛び出しを阻止するようにすることができる。
【０００８】
本発明のパチンコ機の玉計数払出装置は、回転作用により受け入れた玉を払い出す回転体の凹部を、供給された玉を仮受けする円弧部と、この円弧部の回転方向後側に設けた段差部と、段差部に連設されて回転体の中心に向けて深くなる玉保持部とを有するものとしたうえ、この回転体を、回転体の円弧部に乗った状態の玉の通過を阻止し、玉保持部に流入した玉の通過を可能とする隙間を形成して玉排出路の入口に設けたことにより、パチンコ機に衝撃が加えられた時にも、回転体から玉が飛び出すことがない。また、ブレーキ機能を有する部材と玉排出路ガイドの与える玉への移動抵抗によって玉を一つずつ所定の時間差でもって払い出すことができるので、玉を高速で正確に計数して玉排出路に払い出すことができる。
【０００９】
【発明の実施の形態】
以下に図面を参照しつつ本発明の好ましい実施形態を示す。
図１〜３は、本発明のパチンコ機の玉計数払出装置を示す図である。１は玉供給路であって、この玉供給路１は筒状の玉供給路ガイド２により形成されていて、上方の図示していない玉整列レールから１段１列の状態で導入された玉を減速しながら下端の玉出口３より回転体４に玉を供給する。この回転体４は、正逆回転可能な駆動装置５により回転されて凹部６に受け入れた玉を玉排出路７に払い出すが、玉排出路７の玉入口８には玉計数装置９が設けられていて、通過する玉の数を計数する。
【００１０】
玉計数装置９は貸玉と賞玉とを別個に払い出す２連式のものであって、駆動装置５により回転される主軸１１の左右の両方端部に回転体４が挿着され、そのサイドには一方向のみの回転を回転体４に伝達可能なクラッチ１２が取り付けられている。駆動装置５には出力伝達ギア１３が装着され、主軸１１には駆動ギア１４が装着されており、図２中の左側のクラッチ１２は主軸１１と同方向に回転して、この回転力を伝達して左側の回転体４を玉払出しが可能な正方向に回転させる。一方、図２中の右側のクラッチ１２は、図３に示すように中間ギア１５を介して駆動ギア１６が回転されるので、左側のクラッチ１２とは逆方向に回転されるが、逆方向の回転は回転体４に伝達されることはないので右側回転体４は静止したままである。しかし、駆動装置５が逆に回転した時には、右側回転体４は正方向に回転して玉を払い出すことができるが、左側回転体４はクラッチ１２から回転力が伝達されないので静止したままである。即ち、二つの回転体４は同時に回転することはないので貸玉と賞玉とをそれぞれ別個に払い出すことができる。
【００１１】
なお、主軸１１には中央隔壁１７に支持された玉受け部材１８が遊嵌されていて、この玉受け部材１８は流下する玉列の最下段の玉を受け止めるので、大きな玉圧が直接回転体４に掛かるのを防止している。従って、回転体４を回転する駆動装置５の出力を小さいものとすることができる。
【００１２】
回転体４は、図４に示すように１枚の円板状の側壁２０と玉を受け止める複数の凹部６を有するが、この凹部６は、回転翼２１と、回転体４の中心と同一中心を持つ円弧で形成された円弧部２２と、円弧部２２の回転方向後ろ側に設けた段差部２３と、段差部２３に連設されて回転体４の中心に向けて深くなる玉保持部２４とにより構成される。なお、円弧部２２の回転方向後ろ側を、回転体４の中心と同一中心を持つ円弧に対して０．０５〜０．５ｍｍ低く傾斜させて玉保持部２４への玉の流入を容易なものとすることができるが、通常は０．２〜０．３ｍｍ低く傾斜させるのが玉をスムーズに玉保持部２４に流入させることができて望ましい。
【００１３】
玉供給路１の玉出口３には、図５中の直線Ｓで示す玉の流下方向が、回転体４の中心点Ｐより回転前方方向に偏倚されるように玉供給路ガイド２を設けてある。玉の流下方向を中心点Ｐより回転方向に前方とすることによって玉の落下エネルギーにより回転体４の回転を促進することができる。さらに、垂直線Ａ−Ａと直線Ｓとのなす角度θを１０〜３０°とすることによって、玉の落下エネルギーを大きくして回転体４を加速することにより小さい駆動力でもって回転体４を円滑に回転させることができる。なお、θは１５°とすることが玉をスムーズに流下させ、かつ玉の落下エネルギーを大きいものとするうえで最も効果的である。なお、図５中２５はパチンコホールの必要に応じ玉供給路２内の玉を抜くための玉抜き弁であって、この玉抜き弁２５は通常は玉供給路１の玉出口３を構成する玉供給路ガイド２である。
【００１４】
また、回転体４が設けられた玉排出路７の玉入口８上方には、回転体４の中心Ｐと同心の壁面を有し、回転体４が所定の玉払出し位置に回転した時に玉一個分の隙間を形成して玉を挟持する玉排出路ガイド２６が設けられている。この玉排出路ガイド２６は途中から前記玉払出し位置から玉の流下方向に向けて回転体４の中心から徐々に離間するように形成されている。前記玉払出し位置の直後の玉排出路ガイド２６には玉の通過を計数するための玉計数装置９が配設されている。また、玉入口８上方の玉排出路ガイド２６には、移動中の玉に抵抗を与えて玉の放出されるのを規制するためのブレーキ機能を有する部材として磁石２７が備えられている。
【００１５】
図５〜１０は回転体４が回転して玉を払い出す一連の動作を説明する図であって、図５に示したように玉供給路１から供給された玉は先ず回転体４の円弧部２２の上に流入する。次いで、回転体４の回転が進むと、図６、７に示すように玉は段差部２３を経由して玉保持部２４に入り込む。図６〜７の状態では、玉排出路ガイド２６と円弧部２２との隙間は玉一個分より小さく、また、円弧部２２と玉排出路ガイド２６と玉供給路１側の段差部２３との間のコーナーが玉の飛び出しを抑止するので、大きな衝撃が掛かった時にも玉が回転体４から飛び出すことはない。
【００１６】
玉保持部２４に入り込んだ玉は、図８に示すように回転翼２１の前面で押されて回転翼２１とともに移動する。この時磁石２７は近づいて来る玉を吸引するので後続の玉列の圧力に抗して玉を磁石２７直近に引き寄せることができる。一方、さらに回転体４が回転して玉が磁石２７から離間する場合には、磁石２７は玉を吸引してブレーキをかけるので、玉の払出しを若干遅らせて玉を回転翼２１に密着して正しく移行することができる。
【００１７】
そして、回転翼２１が図９に示す所定の位置に来た時には、玉の上部に接するように設けられた玉排出路ガイド２６が、玉と接触して玉を一瞬挟持して移動抵抗を与えることができる。このような磁石の吸引作用と玉排出路ガイド２６の挟持作用により、先行玉との間隔を開けて回転体４は玉を払い出すことができる。従って、玉計数装置９が玉を一個づつ認識することができて玉を正確に計数することができる。玉の払出しとともに回転体４は、図１０に示すように次の玉を受け入れる。１分に１０００個の玉を払い出す場合に、玉１個の払出しに要する時間は０．０６秒であるが、本発明の玉計数払出装置は約０．０５秒で玉を払い出すことができ、従って約０．０１秒の回転体４の余裕時間を取ることができるので、玉を１個づつ確実に離間させて払い出すことができて、玉を正確に計数するこができる。
【００１８】
図１１〜１２は、ブレーキ機能を有する部材がブレーキ片２８を有していて、このブレーキ片２８を玉排出路７から覗かせて玉にブレーキをかける方向にばねで押圧するものであって、図１１はスライド式、図１２はスイング式の部材を示す。また、図１３に示すブレーキ機能を有する部材はブラシ２９を有するものであって、このブラシ２９により玉を押圧してブレーキをかけるものである。磁石に換えてブレーキ機能を有する部材を以上のようなものとしても、玉の移動に抵抗を与えて、玉排出路７に玉を１個づつ安定して払い出すことができる。
【００１９】
また、図１４〜１５に示すように、玉供給路１の玉出口３下方に磁石２７を配置して、玉保持部２４に入り込む玉を回転体４の回転方向に対して後方乃至は後方で回転体の中心寄りに吸引することによっても、玉の揺動を素早く静止させて玉を安定化することができる。即ち、回転体４の円板状の側壁２０に設けられた凹部６の横幅を玉１個分未満としたうえに、この回転体４の一側に配された側壁である中央隔壁１７と回転体４との間に形成される間隙に磁石２７を配置する。この磁石２７の磁力線を、玉が回転体４の回転方向に対して後方乃至は後方で回転体４の中心よりに吸引される特定方向に向けることによって、玉を玉保持部２４に瞬時に静止して安定位置に据えることができる。従って、回転体４からの玉の払出し時間間隔を常に一定にして玉排出路７に玉を１個づつ安定して払い出すことができる。
【００２０】
なお、図１に示したように玉計数払出装置をカバー３１で覆い、このカバー３１の下方に駆動装置５を冷却するための空気の流入口３２を設け、このカバー３１の上方には駆動装置５により加温された空気を排出するための空気の排出口３３を設けるのが望ましい。以上のようにして駆動装置５を冷却することによって、玉計数装置９やその他の装置が誤作動を引き起こすのを防止することができて、玉を正確に高速で払い出すことができる。
【００２１】
【発明の効果】
以上に説明したように、本発明のパチンコ機の玉計数払出装置は、回転作用により受け入れた玉を払い出す回転体の凹部を、供給された玉を仮受けする円弧部と、この円弧部の回転方向後側に設けた段差部と、段差部に連設されて回転体の中心に向けて深くなる玉保持部とを有するものとしたうえ、この回転体を、回転体の円弧部に乗った状態の玉の通過を阻止し、玉保持部に流入した玉の通過を可能とする隙間を形成して玉排出路の玉入口に設けたことにより、パチンコ機に衝撃が加えられた時にも、回転体から玉が飛び出すことがない。また、ブレーキ機能を有する部材と玉排出路ガイドの与える玉への流れ抵抗によって玉を一つずつ所定の時間差でもって払い出すことができるので、玉を正確に計数して玉排出路に払い出すことができる。また、玉供給路の玉出口下方に磁石を配置して、玉保持部に入り込む玉を回転体の回転方向に対して後方乃至は後方で回転体の中心寄りに吸引することによっても、玉の揺動を素早く静止させて玉を安定化することができる。また、玉供給路の出口に玉供給路ガイドを、供給される玉の流下方向が回転体の中心より回転前方方向に偏倚されるように、且つ玉の流下方向が垂直線に対して１０〜３０°傾斜するように設けたので、玉の落下エネルギーを利用して回転体を加速することができるので小さい駆動力でもって回転体を回転させて玉を高速に払い出すことができる。さらに、玉計数払出装置を覆うカバーの下方に空気の流入口を設け、このカバーの上方には空気の排出口を設けたので、駆動装置を冷却することができて玉計数装置やその他の装置が誤作動を引き起こすのを防止することができるなど、本発明は大きな利点を有するものである。
【図面の簡単な説明】
【図１】  本発明のパチンコ機の玉計数払出装置の正面図と側面図である。
【図２】  玉計数払出装置の側面の要部拡大断面図である。
【図３】  中間ギアによる駆動ギアの逆回転機構を説明する正面図である。
【図４】  回転体の正面図である。
【図５】  玉計数払出装置の正面の要部拡大断面図である。
【図６】  図５に引き続く玉の移動を示す玉計数払出装置の正面の要部拡大断面図である。
【図７】  図６に引き続く玉の移動を示す玉計数払出装置の正面の要部拡大断面図である。
【図８】  図７に引き続く玉の移動を示す玉計数払出装置の正面の要部拡大断面図である。
【図９】  図８に引き続く玉の移動を示す玉計数払出装置の正面の要部拡大断面図である。
【図１０】  図９に引き続く玉の移動を示す玉計数払出装置の正面の要部拡大断面図である。
【図１１】  スライド式のブレーキ片を備えた玉計数払出装置の正面の要部拡大断面図である。
【図１２】  スイング式のブレーキ片を備えた玉計数払出装置の正面の要部拡大断面図である。
【図１３】  ブラシを備えた玉計数払出装置の正面の要部拡大断面図である。
【図１４】  玉供給路の玉出口下方に磁石を配置した玉計数払出装置の正面の要部拡大断面図である。
【図１５】  図１４のＡ−Ａ部における断面図である。
【符号の説明】
１  玉供給路
３  玉出口
４  回転体
７  玉排出路
８  玉入口
９  玉計数装置
２２  円弧部
２３  段差部
２４  玉保持部
２６  玉排出路ガイド
２７  磁石
【図１】
0004172943.tif 000002
【図２】
0004172943.tif 000003
【図３】
0004172943.tif 000004
【図４】
0004172943.tif 000005
【図５】
0004172943.tif 000006
【図６】
0004172943.tif 000007
【図７】
0004172943.tif 000008
【図８】
0004172943.tif 000009
【図９】
0004172943.tif 000010
【図１０】
0004172943.tif 000011
【図１１】
0004172943.tif 000012
【図１２】
0004172943.tif 000013
【図１３】
0004172943.tif 000014
【図１４】
0004172943.tif 000015
【図１５】
0004172943.tif 000016